(57)【要約】【課題】音声通話開始時または音声通話中に、無音通話をする。【解決手段】文字列記憶ＲＡＭ１０６に記憶されている文字および／または文字列を読み出し、当該文字および／または文字列の読み音声にかかる音声信号をシステムＲＯＭ１０２に格納されている音声信号生成プログラムにより読み音声信号を生成し、少なくとも、この読み音声信号を音声蓄積ＲＡＭ１０５等に蓄積し、この読み音声信号を送信部１０７により音声信号送信手段に転送する。【選択図】　　　　図１
2004064640.tif 000002
【特許請求の範囲】
【請求項１】
操作手段と、
表示手段と、
通話者の音声が入力される音声入力手段と、
前記音声入力手段から入力された音声にかかる音声信号を通話相手に送信する音声信号送信手段と、
通話相手の音声にかかる音声信号を受信する音声信号受信手段と、
前記音声信号受信手段により受信した音声信号を音声として出力する音声出力手段と、
少なくとも、前記操作手段から手入力された通話情報としての文字および／または文字列が手入力された文字および／または文字列を記憶する文字・文字列記憶手段と、
前記文字・文字列記憶手段に記憶されている文字および／または文字列を読み出し、当該文字および／または文字列の読み音声にかかる音声信号を生成する読み音声信号生成手段と、
少なくとも、前記読み音声信号生成手段が生成した読み音声信号を蓄積する音声信号蓄積手段と、
前記音声信号蓄積手段に蓄積された読み音声信号を前記音声信号送信手段に転送する読み音声信号転送手段と、
を備えたことを特徴とする文字通話機能付き通信端末装置。
【請求項２】
操作手段と、
表示手段と、
通話者の音声が入力される音声入力手段と、
前記音声入力手段から入力された音声にかかる音声信号を通話相手に送信する音声信号送信手段と、
通話相手の音声にかかる音声信号を受信する音声信号受信手段と、
前記音声信号受信手段により受信した音声信号を音声として出力する音声出力手段と、
前記音声信号受信手段が受信した音声信号を蓄積する受信音声信号蓄積手段と、
前記受信音声信号蓄積手段に記憶されている音声信号を読み出し、当該音声信号にかかる音声の発音対応文字または発音対応文字列を生成する発音対応文字列生成手段と、
前記発音対応文字列生成手段により生成した発音対応文字列を前記表示手段に転送する発音対応文字列転送手段と、
を備えたことを特徴とする文字通話機能付き通信端末装置。
【請求項３】
操作手段と、
表示手段と、
通話者の音声が入力される音声入力手段と、
前記音声入力手段から入力された音声にかかる音声信号を通話相手に送信する音声信号送信手段と、
通話相手の音声にかかる音声信号を受信する音声信号受信手段と、
前記音声信号受信手段により受信した音声信号を音声として出力する音声出力手段と、
少なくとも、前記操作手段から手入力された通話情報としての文字および／または文字列が手入力された文字および／または文字列を記憶する文字・文字列記憶手段と、
前記文字・文字列記憶手段に記憶されている文字および／または文字列を読み出し、当該文字および／または文字列の読み音声にかかる音声信号を生成する読み音声信号生成手段と、
少なくとも、前記読み音声信号生成手段が生成した読み音声信号を蓄積する音声信号蓄積手段と、
前記音声信号蓄積手段に蓄積された読み音声信号を前記音声信号送信手段に転送する読み音声信号転送手段と、
前記音声信号受信手段が受信した音声信号を蓄積する受信音声信号蓄積手段と、
前記受信音声信号蓄積手段に記憶されている音声信号を読み出し、当該音声信号にかかる音声の発音対応文字または発音対応文字列を生成する発音対応文字列と、
前記発音対応文字列生成手段により生成した発音対応文字列を前記表示手段に転送する発音対応文字列転送手段と、
を備えたことを特徴とする文字通話機能付き通信端末装置。
【請求項４】
前記文字・文字列記憶手段に蓄積される文字列は、予め作成された定型文字列を含むこと、および／または前記音声信号蓄積手段に蓄積される読み音声信号は、予め作成された定型読み音声にかかる音声信号を含むことを特徴とする請求項１または３に記載の文字通話機能付き通信端末装置。
【請求項５】
前記定型文字列に蓄積された前記定型文字列、および／または前記音声信号蓄積手段に蓄積された前記定型読み音声は、特定の記号と対応づけられていることを特徴とする請求項４に記載の文字通話機能付き通信端末装置。
【請求項６】
前記定型文字列に蓄積された前記定型文字列、および／または前記音声信号蓄積手段に蓄積された前記定型読み音声は、前記操作手段および表示手段を用いて読み出し可能に保存されることを特徴とする請求項４または５に記載の文字通話機能付き通信端末装置。
【発明の詳細な説明】
【０００１】
【発明の属する技術分野】
本発明は、音声通話開始時または音声通話中に、無音通話をすることができるネットワークに接続されたコンピュータ、携帯情報端末装置（ＰＤＡ）、携帯型電話機等の音声通話端末装置に関する。
【０００２】
【従来の技術】
音声通話は、有線通話回線を利用した利用形態にとどまらず、通信ネットワーク技術の進歩により、インターネット回線や無線通話を利用したＰＣ（Ｐｅｒｓｏｎａｌ　Ｃｏｍｐｕｔｅｒ），携帯情報端末（ＰＤＡ　Ｐｅｒｓｏｎａｌ　Ｄｉｇｉｔａｌ　Ａｓｓｉｓｔａｎｔｓ），携帯型電話機等の通信機器から様々な形態で可能となっている。
【０００３】
音声通話端末装置では、通話者がマイクロホンに向って発声するとともに、通話相手からの音声をスピーカ（あるいはイヤホン）により聴取することでリアルタイムの会話が行なわれる。
【０００４】
このため、従来の音声通話端末装置では、静寂が要求される会議室、映画館、電車等の公衆の場では、電源をオフにしておく、着信があっても非応答とする、または留守番応答機能をオンにしておき通話相手のメッセージを録音する等、実質上の着信規制をしなければならない。
【０００５】
従来の音声通話端末装置では、着信があったときに非応答とした場合には、この場合には発信者は、着信者からのメッセージを全く取得できない。また、発信元の電話番号通知がなされていれば、後に発信者に電話を折り返し用件を聞くことができるが、用件が緊急であるときには、対処が遅れることもある。
【０００６】
このため、音声通話端末装置では、着信規制をすべき環境では、留守番応答機能をオンにしてくことで発信者の用件を録音しておき後に音声を聞くことができる。しかし、この場合にも、発信者はリアルタイムで、発信者と通話ができないため、発信者の用件が緊急であるときにはやはり対処ができないことがある。
【０００７】
このような不都合を解消するために、相手方の電話機でダイヤル操作キーが操作されたときに、自己の電話機でも、同一のダイヤル操作キーが動作し、その結果、ダイヤル操作キーに割り当てられたメッセージによって無声通話を可能とする通信端末装置が知られている（特開平１１−３５５４０４号公報）。これにより、予め通話の相手との間でダイヤル操作キーによって特定の文字列を設定しておくことにより、ダイヤル操作キーの動きによって文字列を確認することで無声通話を行うことができ、さらに、相手方のキー操作によって文字メッセージが作成されていれば、その文字メッセージをディスプレイに表示させることができる。
【０００８】
また、留守番応答を予め文字コード入力して記憶手段に記憶しておき、着信があったときに、文字コード列を音声合成し、文字コード列に対応する音声メッセージを発信者側に送信する通信端末装置も知られている。（特開２０００−２１６８７５公報参照）。
【０００９】
さらに、電車内等の携帯型電話機の使用が制限される環境において、電話交換機に返信用のメッセージを用意しておきこれを指定して発信者に送信するといった無声応答方式も知られている（特開平１１−２０５４３７号公報参照）。
【００１０】
【発明が解決しようとする課題】
しかし、特開平１１−３５５４０４号公報記載の技術では、視覚的にメッセージの確認や自由度のある応答メッセージを作成することはできるが、ダイヤル操作キーによる無声通話を行うためには予め通話相手と、操作キーに対応する特定文字列を設定する手間を要するとともに、設定者毎に操作も異なるため誤操作する恐れがある。また送信者は発声できる状況にあるにも関わらず、キー操作により会話の入出力を行わなければならず不便である。
【００１１】
また、特開２０００−２１６８７５公報記載の技術では、送信者は、音声でメッセージを受取ることができるが、音声メッセージは予め記号と対応付け定型化されたものでありメッセージ数が制限され、またリアルタイムでのコミュニケーションができないという問題がある。
【００１２】
さらに、特開平１１−２０５４３７号公報記載の技術においては、着信側は発信側からの音声をイヤホンを介して聞くようになっており、文字などで視覚的に内容を確認することができない。また、定型化された応答用メッセージを使用するため、内容が固定されており、受信内容に即したメッセージを送ることができない。
【００１３】
本発明の目的は、通話者が電話による通話を行うに際して発声できない環境にあるときに、文字または文字列による会話文を作成しこれを音声信号として通話相手に送信することで、通話者は発声することなく通話相手との会話ができる文字通話機能付きの通信端末装置を提供することにある。
【００１４】
本発明の他の目的は、通話者が電話による通話を行うに際して聴取ができな
い環境にあるときに、通話相手から受信した音声信号から文字または文字列による会話文を作成しこれを表示手段に表示することで、通話者は通話相手からの音声を聴取（ないし発生）することなく当該通話相手との会話ができる文字通話機能付きの通信端末装置を提供することにある。
【００１５】
本発明のさらに他の目的は、通話者が電話による通話を行うに際して発声できず、かつ聴取ができない環境にあるときに、文字または文字列による会話文を作成しこれを音声信号として通話相手に送信し、かつ通話相手から受信した音声信号から文字または文字列による会話文を作成しこれを表示手段に表示することで、通話者は発声することなくかつ通話相手からの音声を聴取（ないし発生）することなく当該通話相手との会話ができる文字通話機能付きの通信端末装置を提供することにある。
【００１６】
【課題を解決するための手段】
本発明の文字通話機能付きの通信端末装置は、操作手段と、表示手段と、通話者の音声が入力される音声入力手段と、前記音声入力手段から入力された音声にかかる音声信号を通話相手に送信する音声信号送信手段と、通話相手の音声にかかる音声信号を受信する音声信号受信手段と、前記音声信号受信手段により受信した音声信号を音声として出力する音声出力手段と、少なくとも、前記操作手段から手入力された通話情報としての文字および／または文字列が手入力された文字および／または文字列を記憶する文字・文字列記憶手段と、前記文字・文字列記憶手段に記憶されている文字および／または文字列を読み出し、当該文字および／または文字列の読み音声にかかる音声信号を生成する読み音声信号生成手段と、少なくとも、前記読み音声信号生成手段が生成した読み音声信号を蓄積する音声信号蓄積手段と、前記音声信号蓄積手段に蓄積された読み音声信号を前記音声信号送信手段に転送する読み音声信号転送手段とを備えたことを特徴とする。
【００１７】
また、本発明の文字通話機能付きの通信端末装置は、操作手段と、表示手段と、通話者の音声が入力される音声入力手段と、前記音声入力手段から入力された音声にかかる音声信号を通話相手に送信する音声信号送信手段と、通話相手の音声にかかる音声信号を受信する音声信号受信手段と、前記音声信号受信手段により受信した音声信号を音声として出力する音声出力手段と、少なくとも、前記操作手段から手入力された通話情報としての文字および／または文字列が手入力された文字および／または文字列を記憶する文字・文字列記憶手段と、前記文字・文字列記憶手段に記憶されている文字および／または文字列を読み出し、当該文字および／または文字列の読み音声にかかる音声信号を生成する読み音声信号生成手段と、少なくとも、前記読み音声信号生成手段が生成した読み音声信号を蓄積する音声信号蓄積手段と、前記音声信号蓄積手段に蓄積された読み音声信号を前記音声信号送信手段に転送する読み音声信号転送手段と、前記音声信号受信手段が受信した音声信号を蓄積する受信音声信号蓄積手段と、前記受信音声信号蓄積手段に記憶されている音声信号を読み出し、当該音声信号にかかる音声の発音対応文字または発音対応文字列を生成する発音対応文字列と、前記発音対応文字列生成手段により生成した発音対応文字列を前記表示手段に転送する発音対応文字列転送手段と備えたことを特徴とする。
【００１８】
上記の文字通話機能付き通信端末装置では、前記文字・文字列記憶手段に蓄積される文字列を、予め作成された定型文字列に含めること、および／または前記音声信号蓄積手段に蓄積される読み音声信号を、予め作成された定型読み音声にかかる音声信号を含めることができる。また、上記の文字通話機能付き通信端末装置では、前記定型文字列に蓄積された前記定型文字列、および／または前記音声信号蓄積手段に蓄積された前記定型読み音声を、特定の記号と対応づけることができる。さらに、上記の文字通話機能付き通信端末装置では、前記定型文字列に蓄積された前記定型文字列、および／または前記音声信号蓄積手段に蓄積された前記定型読み音声を、前記操作手段および表示手段を用いて読み出し可能に保存することができる。
【００１９】
さらに、本発明の文字通話機能付きの通信端末装置は、操作手段と、表示手段と、通話者の音声が入力される音声入力手段と、前記音声入力手段から入力された音声にかかる音声信号を通話相手に送信する音声信号送信手段と、通話相手の音声にかかる音声信号を受信する音声信号受信手段と、前記音声信号受信手段により受信した音声信号を音声として出力する音声出力手段と、前記音声信号受信手段が受信した音声信号を蓄積する受信音声信号蓄積手段と、前記受信音声信号蓄積手段に記憶されている音声信号を読み出し、当該音声信号にかかる音声の発音対応文字または発音対応文字列を生成する発音対応文字列生成手段と、前記発音対応文字列生成手段により生成した発音対応文字列を前記表示手段に転送する発音対応文字列転送手段とを備えたことを特徴とする。
【００２０】
【発明の実施の形態】
図１は本発明の文字通話機能付き通信端末装置の一実施形態を示すハードウェアブロック図である。
【００２１】
図１において、文字通話機能付き通信端末装置１は携帯型電話であり、ＣＰＵ１０１，システムＲＯＭ１０２，ワークＲＡＭ（システムＲＡＭ）１０３，ユーザＲＡＭ１０４，音声蓄積ＲＡＭ１０５，文字列記憶ＲＡＭ１０６，送信部１０７，受信部１０８，操作Ｉ／Ｆ（インタフェース）１０９，キー・ボタン１１０，表示Ｉ／Ｆ１１１，ディスプレイ１１２，マイクロホンＩ／Ｆ１１３，マイクロホン１１４，スピーカＩ／Ｆ１１５，スピーカ１１６を備えている。図１においては、これらはバス１００に接続されている。なお、図１では時計，電源，バイブレータ等、本発明の理解に不要な構成要素の図示は省略してある。
【００２２】
ＣＰＵ１０１は携帯型電話機１全体を統括制御する。システムＲＯＭ１０２には図２に示すように、システムプログラム（オペレーティングシステム，各種ドライバ等）をベースに読み音声信号生成プログラム，音声対応文字列生成プログラム，定型文字列・定型音声利用プログラム，各種アプリケーションプログラム（通信プログラム，インターネット接続プログラム等）等が格納されている。読み音声信号生成プログラムとＣＰＵ１０１とが本発明の読み音声信号生成手段に相当し、音声対応文字列生成プログラムとＣＰＵ１０１とが本発明の音声対応文字列生成に対応する。また、定型文字列・定型音声利用プログラムは、使用された定型文字列や定型音声を後述する図３（Ａ），（Ｂ）に例示するよなテーブルに格納するとともに、適時に記号を用いて所望の定型文字列や定型音声を呼び出すことができる。なお、システムプログラムには、本発明における転送プログラム（音声信号転送手段に対応する）が含まれている。
【００２３】
ワークＲＡＭ１０３は、システムの作業領域として使用される。ユーザＲＡＭ１０４には、通信相手情報リスト（いわゆる電話帳），ユーザ設定情報等のユーザ入力情報が格納される。
【００２４】
音声蓄積ＲＡＭ１０５は、たとえば、音声信号生成プログラムにより生成された音声信号生読み音声信号、受信部（音声信号受信手段）１０８が受信した音声信号が蓄積されるもので、本発明における音声信号蓄積手段、受信音声信号蓄積手段に対応する。音声信号蓄積手段や受信音声信号蓄積手段の具体的な構成は、図１には限定されない。たとえば、音声信号生成プログラムは、ワークＲＡＭ１０３上で作成され、音声蓄積ＲＡＭ１０５に蓄積されずに送信部１０７に送出されるようにもでき、この場合にはワークＲＡＭ１０３と音声蓄積ＲＡＭ１０５とが音声信号蓄積手段に対応する。なお、音声蓄積ＲＡＭ１０５には、たとえば携帯型電話機出荷時に定型読み音声が記憶されることもあるし、ユーザにより予め作成された定型読み音声が記憶されることもある。
【００２５】
文字列記憶ＲＡＭ１０６は、たとえばキー・ボタン１１０から操作Ｉ／Ｆ１０９を介して手入力された通話情報としての文字および／または文字列を記憶するもので、本発明の文字・文字列記憶手段に対応する。文字・文字列記憶手段の具体的な構成は、図１には限定されない。なお、文字列記憶ＲＡＭ１０６には、たとえば携帯型電話機出荷時に定型文字列が記憶されることもあるし、ユーザにより予め作成された定型文字列が記憶されることもある。
【００２６】
送信部１０７は、通話相手に通話信号（音声信号）を送信するもので、本発明の音声信号送信手段に対応する。送信部１０７は、ネットワークに接続することもできる。なお、ネットワーク上のウェブサイト等にアクセスしては、定型読み音声を音声蓄積ＲＡＭ１０５にダウンロードすることもできるし、定型文字列を文字列記憶ＲＡＭ１０６にダウンロードすることもできる。
【００２７】
受信部１０８は、通話相手から通話信号（音声信号）を受信するもので、前述したように本発明の音声信号受信手段に対応する。
操作Ｉ／Ｆ（インタフェース）１０９，キー・ボタン１１０は、本発明の操作手段に対応する。本実施形態では通信端末装置１は携帯型電話であるため、キー・ボタン１１０が操作装置であるが、たとえば通信端末装置がコンピュータやＰＤＡのときは、キーボード、マウス、入力ペン等を操作装置して使用することもできる。キー・ボタン１１０からは、電話番号やアドレスの入力・選択、いわゆる電話帳の所定欄へのデータ書き込み、送信情報の入力や選択、送信指示等の他、前述したように通話情報としての文字および／または文字列が手入力される。キー・ボタン１１０には、文字通話機能をオン・オフするキーが割り当てられている。
【００２８】
表示Ｉ／Ｆ１１１，ディスプレイ１１２は、本発明の表示手段に対応する。ディスプレイ１１２は、通常は液晶ディスプレイ（ＬＣＤ），ＬＥＤにより構成されるが、通信端末装置がコンピュータであるときはＣＲＴを表示手段として使用することもできる。ディスプレイ１１２には、通信端末装置１になされる各種の設定や、操作部１８から手入力された通話情報としての文字および／または文字列や、文字列記憶ＲＡＭ１０６から呼び出された文字および／または文字列が表示される。
【００２９】
マイクロホンＩ／Ｆ１１３，マイクロホン１１４は、本発明の音声入力手段に対応する。また、スピーカＩ／Ｆ１１５，スピーカ１１６は、本発明の音声出力手段に対応する。スピーカ１１６に代えて、イヤーホンを用いることもできる。
【００３０】
なお、図１には図示していないが、通信端末装置１にはメモリカードドライブ等の有線通信Ｉ／Ｆや赤外線Ｉ／Ｆを備えることもできる。また、たとえば通信端末装置がコンピュータやＰＤＡであるときには、メモリカードドライブ、フロッピーディスクドライブ、ハードディスクドライブ、光磁気ディスクドライブ等のＩ／Ｆを備えることができる。これらのＩ／Ｆを介して、通信端末装置のメーカ等が用意した定型読み音声や定型文字列を取り込むことができる。
【００３１】
図３（Ａ），（Ｂ）に、文字列記憶ＲＡＭ１０６に記憶された定型文字列のテーブル例を示す。図３（Ａ）のテーブルは、指定した記号により定型文字列を呼び出すことができる。また、図３（Ｂ）のテーブルには、通信相手の電話番号ごとに、過去に使用された定型文字列が記録され、指定した記号で通話中に所望の定型文字列を通信相手に送信することができる。なお、「はい。」「いいえ。」などの短メッセージ（フレーズ）、名詞や形容詞などの品詞単位を登録しておき、これらを接続できるようにしてもよい。
【００３２】
図４のフローチャートを参照して図１の通話装置１の受信に際しての文字通話機能（音声入力文字表示機能）を説明する。
ここでは、音声入力文字表示機能が予めオンになっているものとする。音声入力文字表示機能は、着信がある前にオンとしておくこともできるし、着信があった後に通話相手を確認してオンとすることができる。
【００３３】
音声受信があったか否かが監視されており（Ｓ１０１）、音声受信がないときは、さらに音声入力文字表示機能がオフになったかが監視され（Ｓ１０２）、音声入力文字表示機能がオフとなったときは、通常の音声受信に移行する（Ｓ１０３）。
【００３４】
音声信号受信があると当該音声信号は、音声蓄積ＲＡＭ１０５に蓄積され（Ｓ１０４）る。次いで、システムＲＯＭ１０２の読み音声信号生成プログラムが、音声信号を音声対応文字列に変換し（Ｓ１０５）、ディスプレイ１１２には音声対応文字列が表示される（Ｓ１０６）。
【００３５】
図５のフローチャートを参照して図１の通話装置１の送信に際しての文字通話機能（文字入力音声送信機能）を説明する。ここでは、文字入力音声送信機能が予めオンになっているものとする。文字入力音声送信機能は、着信がある前にオンとしておくこともできるし、着信があった後に通話相手を確認してオンすることができることは、図４の音声入力文字表示機能の場合と同様である。
【００３６】
ここでは、文字入力音声送信機能がオンになっているものとする。この場合には、キー・ボタン１１０からの文字入力が確定していない場合において（Ｓ２０１）文字入力音声送信機能がオフとなったときは（Ｓ２０２）、通常の音声送信に移行する（Ｓ２０３）。
【００３７】
文字入力が確定すると、ワークＲＡＭ１０３に入力文字列が記憶され（Ｓ２０４）、当該入力文字列は、読み音声信号に変換される（Ｓ２０５）。この読み音声信号は、文字列記憶ＲＡＭ１０６に記憶される一方（Ｓ２０６）、送信部に転送され（Ｓ２０７）、送信部１９７から通信相手に通信され（Ｓ２０８）、処理をＳ２０１に戻す。
【００３８】
なお、通話者（ユーザ）は、メッセージの入力に際して、文字列記憶ＲＡＭ１０６に記憶されたテーブル（図３（Ａ），（Ｂ））から所望の定型文字列を選択することができる。
【００３９】
図４に示した音声入力文字表示機能と、図５に示した文字入力音声送信機能は、いずれか一方をオンにすることもできるし、双方を同時にオンとすることもできる。
【００４０】
図５の例では、通話相手に読み音声信号として送信するメッセージを、文字列記憶ＲＡＭ１０６に記憶されている定型文字列を利用して作成したが、音声蓄積ＲＡＭ１０５に蓄積した定型音声を利用して作成することもできる。この場合、キー・ボタン１１０から入力した文字や文字列と、音声蓄積ＲＡＭ１０５に蓄積した定型音声を組み合わせた場合、１つのメッセージ中に異なる音質が混在することになる。たとえば、音声蓄積ＲＡＭ１０５に蓄積した定型音声が、通話者（ユーザ）が音声入力することにより作成された音声であり、文字列から作成された読み音声信号にかかる音声が人工音声または工場出荷時にメモリに保存されている通話者以外の音声である場合に、通話者が作成したメッセージに定型音声が含まれると、通話相手は複数音質が混在した極めて不自然な音声を聴取することになる。このようなことから、定型音声の音質を通話者の音声の音質に変換する機能を通信端末装置１に搭載しておくことができる。通話者の音声の音質に変換する手法として、通話者に「あいうえお・・・」等の５０音を音声入力した文をサンプリングして音素を作成しておき、文字列音声を作成するときに当該音素を用いることができる。この場合、形態素解析を利用してイントネーションを文字列音声に付与することもできる。
【００４１】
図６に形態素解析を利用した、抑揚付き音声生成装置の機能ブロックを示す。図６において、抑揚付き音声生成装置２は、形態素解析手段２１と、抑揚解析手段２２と、基本抑揚記憶手段２３と、基本音声記憶手段２４と合成手段２５とを備えている。
【００４２】
形態素解析手段２１には、操作手段（図１のキー・ボタン１１０等）から文字列が入力され、形態素解析手段２１は当該文字列の解析を行い、文章の切れ目等を解析する。また抑揚解析手段２２は、音声入力手段（図１のマイクロホン１１４等）から入力されたサンプル音声（特定の文書を読んだときの音声データ）から、通話者（ユーザ）の発声の特徴（間の置き方、抑揚のくせ）等を解析して解析結果（抑揚情報）を基本抑揚記憶手段２３に記憶しておく。また、基本音声記憶手段２４には、前記サンプル音声からたとえば５０音の音素を記憶しておく。
【００４３】
合成手段２５は、形態素解析手段２１からメッセージ（文字列）およびメッセージにおける切れ目の情報を取得するとともに、基本抑揚記憶手段２３に記憶された抑揚情報と、基本音声記憶手段２４に記憶された５０音の音素とからメッセージを作成し、送信手段（図１の送信部１０７）に出力することができる。
【００４４】
【発明の効果】
本発明の通信端末装置では、操作手段から入力された文字や文字列を、音声信号生成手段により読み音声信号変換し、これを送信手段を介して通話先に送信できるので、ユーザが発声できない環境にあるときであっても、通話の続行ができ、しかも通話相手には通常と通話と同様の通話環境が保証される。
【００４５】
また、本発明の通信端末装置では、受信手段から受信した音声信号を発音対応文字列生成手段により文字や文字列として表示手段に表示することができるので、ユーザがスピーカやイヤホンを使用できない環境にあっても、通話の続行ができき、しかも通話相手には通常と通話と同様の通話環境が保証される。
【図面の簡単な説明】
【図１】本発明の文字通話機能付き通信端末装置の一実施形態を示すハードウェアブロック図である。
【図２】システムＲＯＭの構成例を示す説明図である。
【図３】（Ａ）は指定した記号により定型文字列を呼び出すことができるテーブルを示し、（Ｂ）は通信相手の電話番号ごとに、過去に使用された定型文字列が記録され、指定した記号で通話中に所望の定型文字列を通信相手に送信することができるテーブルを示す。
【図４】図１の通話装置の受信に際しての文字通話機能（音声入力文字表示機能）を説明するためのフローチャートである。
【図５】図１の通話装置の送信に際しての文字通話機能（文字入力音声送信機能）を説明するためのフローチャートである。
【図６】形態素解析を利用した、抑揚付き音声生成装置の機能ブロックである。
【符号の説明】
１　通信端末装置
２　抑揚付き音声生成装置
２１　形態素解析手段
２２　抑揚解析手段
２３　基本抑揚記憶手段
２４　基本音声記憶手段
２５　合成手段
１０１　ＣＰＵ
１０２　システムＲＯＭ
１０３　ワークＲＡＭ
１０４　ユーザＲＡＭ
１０５　音声蓄積ＲＡＭ
１０６　文字列記憶ＲＡＭ
１０７　送信部
１０８　受信部
１０９　操作Ｉ／Ｆ
１１０　キー・ボタン
１１１　表示Ｉ／Ｆ
１１２　ディスプレイ
１１３　マイクロホンＩ／Ｆ
１１４　マイクロホン
１１５　スピーカＩ／Ｆ
１１６　スピーカ
１００　バス
【図１】
2004064640.tif 000003
【図２】
2004064640.tif 000004
【図３】
2004064640.tif 000005
【図４】
2004064640.tif 000006
【図５】
2004064640.tif 000007
【図６】
2004064640.tif 000008